(57)【要約】【課題】水冷構造の内燃機関１の冷却水を利用して変速機２および車室内暖房用のヒータコア１３の温度を調節する冷却装置において、内燃機関１の冷間始動時の車室内暖房性能を高めるとともに、内燃機関１の運転全域にわたる変速機２の温調性能を確保する。【解決手段】シリンダヘッド１ｂ側から排出される冷却水をヒータコア１３を経てシリンダブロック１ａ側へ戻すヒータ通路６におけるヒータコア１３の下流側に、直列に変速機用熱交換器１４を設ける。ヒータコア１３への冷却水流量を相対的に大として変速機用熱交換器１４への冷却水流量を相対的に小とする第１状態と、ヒータコア１３への冷却水流量を相対的に小として変速機用熱交換器１４への冷却水流量を相対的に大とする第２状態とのいずれかを必要に応じて確保する流量管理手段１５を備える。【選択図】図１
2007224821.tif 000002
【特許請求の範囲】
【請求項１】
水冷構造の内燃機関の冷却水を利用して変速機および車室内暖房用のヒータコアの温度を調節する冷却装置であって、
シリンダヘッド側から排出される冷却水をヒータコアを経てシリンダブロック側へ戻すヒータ通路における前記ヒータコアの下流側に、直列に変速機用熱交換器を設け、
前記ヒータコアへの冷却水流量を相対的に大として前記変速機用熱交換器への冷却水流量を相対的に小とする第１状態と、前記ヒータコアへの冷却水流量を相対的に小として前記変速機用熱交換器への冷却水流量を相対的に大とする第２状態とのいずれかを必要に応じて確保する流量管理手段を備えることを特徴とする内燃機関の冷却装置。
【請求項２】
請求項１に記載の流量管理手段は、前記ヒータコア下流側の冷却水温度または前記変速機の使用油温度が所定温度以下のときに、前記第１状態を選択する一方、前記ヒータコア下流側または前記変速機の使用油温度の冷却水温度が所定温度を超えたときに、前記第２状態を選択するよう設定されることを特徴とする内燃機関の冷却装置。
【請求項３】
請求項１または２に記載の流量管理手段は、前記ヒータ通路において前記変速機用熱交換器の上流側と下流側とに短絡接続されるバイパス通路と、このバイパス通路に設けられる開閉弁とを有し、かつ前記開閉弁を開閉することにより前記いずれか一方の状態を確保することを特徴とする内燃機関の冷却装置。
【請求項４】
請求項３に記載の開閉弁は、当該開閉弁上流側の冷却水温度または前記変速機の使用油温度が所定温度以下のときに開いて前記第１状態を選択する一方、前記開閉弁上流側の冷却水温度または前記変速機の使用油温度が所定温度を超えたときに閉じて前記第２状態を選択するよう駆動されることを特徴とする内燃機関の冷却装置。
【請求項５】
請求項３または４に記載の開閉弁は、サーモワックスの熱膨張、熱収縮に応じて弁体を駆動するタイプとされることを特徴とする内燃機関の冷却装置。
【発明の詳細な説明】
【技術分野】
【０００１】
本発明は、例えば車両等に搭載される水冷構造の内燃機関の冷却装置に関する。
【背景技術】
【０００２】
一般的に、車両等に搭載される水冷構造の内燃機関は、始動に伴い冷却水の温度を速やかに所定温度に到達させる一方で、運転継続に伴い所定の温度範囲に保つように構成されている。
【０００３】
これと同様に、内燃機関に連結される変速機の使用油は、十分な特性を発揮させるような粘度にするために、その温度を速やかに所定温度に到達させる一方で、所定の温度範囲に保つようにすることが望ましい。
【０００４】
なお、公知のように、自動変速機は、オートマティック・トランスミッション・フルード（ＡＴＦ）と呼ばれる作動油を用い、手動変速機は、トランスミッション・オイルと呼ばれる潤滑油を用いている。
【０００５】
これに対し、本願出願人は、水冷構造の内燃機関において、その冷却水を利用して、変速機の使用油の温度を調節するとともに、車室内暖房用のヒータコアの温度を調節するようにしたものを提案している（例えば特許文献１参照。）。
【０００６】
この特許文献１の従来例では、まず、内燃機関の冷間始動時のように冷却水および変速機の使用油の温度が所定の設定温度以下のときには、内燃機関のシリンダヘッド側から排出される冷却水をラジエータに流通させずにバイパス通路を介して内燃機関のシリンダブロック側に戻すことにより、冷却水の温度上昇を図るとともに、内燃機関のシリンダヘッド側から排出される冷却水の一部を変速機用熱交換器やヒータコアに流通させることにより、変速機の使用油の温度ならびにヒータコアの温度を上昇させるようにしている。
【０００７】
そして、内燃機関の冷却水の温度および変速機の使用油の温度が所定の設定温度を超えると、内燃機関のシリンダヘッド側から排出される冷却水をラジエータに流通させることにより冷却するとともに、内燃機関のシリンダブロック側から排出される冷却水を変速機用熱交換器に流通させることにより、変速機の使用油の温度を低下させるようにしている。
【０００８】
ところで、ヒータコアには、内燃機関のシリンダヘッド側から排出される冷却水の一部を常時流通させるようにすることにより、内燃機関の冷間始動時から車室内暖房を行えるようにしている。
【特許文献１】特開２００４−２３２５１４号公報
【発明の開示】
【発明が解決しようとする課題】
【０００９】
上記従来例は、内燃機関のシリンダヘッド側からの排出される冷却水を、まずラジエータ側とヒータコア側とに分流させており、さらに、内燃機関の暖機運転時にはヒータコア側に分流させた冷却水をさらにヒータコアより上流側でさらに分流させて変速機用熱交換器へ流通させるようにしている。
【００１０】
このような冷却水の循環構造では、ヒータコアへシリンダヘッド側から排出される冷却水を常時流通させるようにしているので、内燃機関の冷間始動時から車室内暖房を行うことが可能であるものの、内燃機関の冷間始動時のように暖機運転時においてヒータコアに対する冷却水流量が不十分となり、ヒータコアによる車室内暖房性能が満足できない状況になるおそれがある。ここに改良の余地がある。
【００１１】
本発明は、内燃機関の冷却装置において、内燃機関の冷間始動時における車室内暖房性能を高めるとともに、内燃機関の運転全域にわたる変速機の温調性能を確保することを目的としている。
【課題を解決するための手段】
【００１２】
本発明は、水冷構造の内燃機関の冷却水を利用して変速機および車室内暖房用のヒータコアの温度を調節する冷却装置であって、シリンダヘッド側から排出される冷却水をヒータコアを経てシリンダブロック側へ戻すヒータ通路における前記ヒータコアの下流側に、直列に変速機用熱交換器を設け、前記ヒータコアへの冷却水流量を相対的に大として前記変速機用熱交換器への冷却水流量を相対的に小とする第１状態と、前記ヒータコアへの冷却水流量を相対的に小として前記変速機用熱交換器への冷却水流量を相対的に大とする第２状態とのいずれかを必要に応じて確保する流量管理手段を備えることを特徴としている。
【００１３】
なお、ヒータコアへの冷却水流量を大にすると、ヒータコアの加熱効率が向上することになって、車室内暖房性能を高めるうえで有利となる。一方、変速機用熱交換器に対してはヒータコアを通過して温度が若干低下した冷却水を導入させるようにしているから、変速機用熱交換器への冷却水流量を大にすると、変速機の使用油温度が高い状況においては変速機用熱交換器による変速機の放熱効率が向上することになって、変速機の冷却性能を高めるうえで有利となる。
【００１４】
このことから、前記第１状態とすれば、ヒータコアの加熱効率を向上させたうえで変速機を暖機させることが可能になる一方、前記第２状態とすれば、変速機用熱交換器による変速機の放熱効率を向上させたうえでヒータコアの過剰な加熱を抑制することが可能になる。
【００１５】
ここで、例えば内燃機関の冷間始動時、つまり冷却水や変速機の使用油の温度が例えば所定値以下のときに、前記第１状態とすれば、内燃機関の冷間始動時でも車室内暖房を速やかに必要十分なレベルで行うことが可能になり、しかも変速機の暖機が可能になる。
【００１６】
一方、例えば内燃機関の冷却水や変速機の使用油の温度が所定値を超えたときに、前記第２状態とすれば、変速機が速やかに冷却されるようになり、しかもヒータコアの過剰な加熱を抑制することが可能になる。
【００１７】
このように、簡単な構成でありながら、内燃機関の状況に応じて内燃機関や変速機の温度調節を適正に行うことが可能になるとともに、内燃機関の冷間始動時においてヒータコアによる車室内暖房を必要十分なレベルで行うことが可能になる。
【００１８】
好ましくは、前記流量管理手段は、前記ヒータコア下流側の冷却水温度または前記変速機の使用油温度が所定温度以下のときに、前記第１状態を選択する一方、前記ヒータコア下流側の冷却水温度または前記変速機の使用油温度が所定温度を超えたときに、前記第２状態を選択するよう設定される。
【００１９】
この構成によれば、ヒータコア下流側の冷却水温度または前記変速機の使用油温度の高低で内燃機関の運転状況を認識するようにしているから、流量管理手段の切り替え動作が適正に行えるようになる。
【００２０】
好ましくは、前記流量管理手段は、前記ヒータ通路において前記変速機用熱交換器の上流側と下流側とに短絡接続されるバイパス通路と、このバイパス通路に設けられる開閉弁とを有し、かつ前記開閉弁を開閉することにより前記いずれか一方の状態を確保する。
【００２１】
このように、流量管理手段について市場にて簡単かつ安価に入手できるバイパス通路用の配管や開閉弁で構成しているから、その構成が簡素で済むとともに設備コストならびに設置コストの低減を図るうえで有利となる。
【００２２】
好ましくは、前記開閉弁は、当該開閉弁上流側の冷却水温度または前記変速機の使用油温度が所定温度以下のときに開いて前記第１状態を選択する一方、前記開閉弁上流側の冷却水温度または前記変速機の使用油温度が所定温度を超えたときに閉じて前記第２状態を選択するよう駆動される。
【００２３】
この構成では、開閉弁を内燃機関の運転状況に応じて駆動するようにしており、状態変更動作が適正に行えるようになる。
【００２４】
好ましくは、前記開閉弁は、サーモワックスの熱膨張、熱収縮に応じて弁体を駆動するタイプとされる。
【００２５】
この構成のように、開閉弁を駆動する駆動源について、制御系が不要ないわゆる自己動作タイプとすれば、開閉弁そのものの構成が簡素となるとともに設備コストを低減するうえで有利となる。
【発明の効果】
【００２６】
本発明によれば、内燃機関の冷間始動時における車室内暖房性能を高めることが可能になるとともに、内燃機関の運転全域にわたる変速機の温調性能を確保することが可能となる。
【発明を実施するための最良の形態】
【００２７】
以下、本発明の実施形態を図面に基づいて説明する。
【００２８】
図１および図２に、本発明の一実施形態を示している。図において、１は内燃機関、２は変速機である。この実施形態では、内燃機関１を水冷構造とし、変速機２を自動変速機としている。
【００２９】
内燃機関１の冷却水の温度や変速機２の使用油の温度は、下記する冷却装置でもって速やかに所定の設定温度に到達させる一方で、所定の設定温度範囲に保つようになっている。
【００３０】
この冷却装置は、主として、冷却水循環回路（３〜６）と、ウォーターポンプ１１と、ラジエータ１２と、ヒータコア１３と、変速機用熱交換器１４とを含む構成になっている。
【００３１】
冷却水循環回路（３〜６）は、内燃機関１の内外に冷却水を循環させる閉ループ通路であり、内燃機関１の内部に設けられる内部通路（３，４）と、内燃機関１の外部に設けられる外部通路（５，６）とを含む。
【００３２】
内燃機関１の内部通路としては、主として、内燃機関１のシリンダブロック１ａに設けられるシリンダブロック側内部通路３と、内燃機関１のシリンダヘッド１ｂに設けられるシリンダヘッド側内部通路４とを含む。これらシリンダブロック側内部通路３とシリンダヘッド側内部通路４とは、直列に連通連結されている。
【００３３】
内燃機関１の外部通路としては、主として、シリンダヘッド側内部通路４の冷却水排出部４ａからシリンダブロック側内部通路３の冷却水導入部（ウォーターポンプ１１の入口）３ａに至って並列に設けられるラジエータ通路５およびヒータ通路６を含む。
【００３４】
なお、ラジエータ通路５には、ラジエータ１２の上流側と下流側とを短絡接続するための第１バイパス通路７が設けられている。このラジエータ通路５の下流側に対する第１バイパス通路７の接続部位には、冷却水の流通経路を切り替えるためのサーモスタット８が設けられている。
【００３５】
このサーモスタット８は、冷却水の温度高低に応じて膨張・収縮するサーモワックスを駆動源として弁体を駆動するような一般的に公知の構成とされている。
【００３６】
サーモスタット８の動作としては、シリンダヘッド側内部通路４出口の冷却水が所定温度以下のときに、図１の実線矢印Ｘ１で示すように、シリンダヘッド側内部通路４から排出された冷却水をラジエータ１２内に通さずに第１バイパス通路７へ通過させる冷却水スルー経路を確保する一方、シリンダヘッド側内部通路４出口の冷却水が所定温度を超えたときに、図２の破線矢印Ｘ２で示すように、シリンダヘッド側内部通路４から排出された冷却水をラジエータ１２に通過させる冷却水放熱経路を確保する。
【００３７】
ウォーターポンプ１１は、冷却水循環回路内で冷却水を循環流通させるものであり、シリンダブロック側内部通路３の冷却水導入部３ａに設けられている。
【００３８】
ラジエータ１２は、ラジエータ通路５の途中に介装されており、シリンダヘッド側内部通路４からラジエータ通路５側へ排出される冷却水の熱を放熱して冷却するものである。
【００３９】
ヒータコア１３は、ヒータ通路６においてシリンダヘッド側内部通路４寄りに設けられており、車室内を暖房するための熱源とされるものである。
【００４０】
変速機用熱交換器１４は、変速機２の使用油（オートマティック・トランスミッション・フルード：ＡＴＦ）の温度を調節するものである。
【００４１】
この変速機用熱交換器１４内には、変速機２に設けられる外部引き出し配管２ａが挿入されていて、変速機用熱交換器１４内に供給される冷却水と外部引き出し配管２ａ内を通過する使用油との間で熱交換が行われる。なお、外部引き出し配管２ａは、変速機２内の使用油を一旦外部に引き出して戻すための経路である。
【００４２】
次に、本発明の特徴部分について説明する。
【００４３】
まず、変速機用熱交換器１４は、ヒータ通路６においてヒータコア１３の下流側に直列に設けられている。
【００４４】
そして、ヒータ通路６には、ヒータコア１３への冷却水流量を相対的に大として変速機用熱交換器１４への冷却水流量を相対的に小とする第１状態と、ヒータコア１３への冷却水流量を相対的に小として変速機用熱交換器１４への冷却水流量を相対的に大とする第２状態とのいずれかを必要に応じて確保するための流量管理手段１５が設けられている。
【００４５】
この流量管理手段１５は、主として、第２バイパス通路１６と、開閉弁１７とを含む構成である。
【００４６】
第２バイパス通路１６は、ヒータ通路６において変速機用熱交換器１４の上流側（ヒータコア１３の下流側）と下流側（ウォーターポンプ１１の上流側）とに短絡接続されている。要するに、この第２バイパス通路１６は、ヒータ通路６において変速機用熱交換器１４が設置される変速機設置区間６ａと並列に配置されている。
【００４７】
開閉弁１７は、第２バイパス通路１６の途中に設けられていて、第２バイパス通路１６を開放または閉塞するものである。
【００４８】
この開閉弁１７としては、一般的に公知のように、その上流側の冷却水温度の高低に応じて膨張・収縮するサーモワックスを駆動源として弁体を開閉駆動するような自己動作タイプとすることができる。
【００４９】
この流量管理手段１５は、開閉弁１７の上流側つまりヒータコア１３の下流側の冷却水温度が所定温度Ｔｗ１以下のとき（暖機要求時）に、図１中の一点鎖線矢印Ｙおよび二点鎖線矢印Ｚで示すように、ヒータコア１３を通過する冷却水をヒータ通路６における変速機設置区間６ａおよび第２バイパス通路１６の両方に流通させる第１状態を選択する一方、開閉弁１７の上流側つまりヒータコア１３の下流側の冷却水温度が所定温度Ｔｗ１を超えたとき（冷却要求時）に、図２中の一点鎖線矢印Ｙで示すように、ヒータコア１３を通過する冷却水をヒータ通路６における変速機設置区間６ａのみに流通させる第２状態を選択するようになっている。
【００５０】
但し、ヒータコア１３や変速機用熱交換器１４に対する冷却水流量は、ヒータコア１３の冷却水流通抵抗（圧力損失）と、変速機用熱交換器１４の冷却水流通抵抗（圧力損失）と、第２バイパス通路１６の冷却水流通抵抗とを考慮して、適宜調整することができる。なお、第２バイパス通路１６に対する冷却水流量は、その配管の内径や長さ等を適宜設定することによって調整することができる。
【００５１】
次に、上述した内燃機関１の冷却装置における動作を説明する。
【００５２】
内燃機関１を始動すると、ウォーターポンプ１１によって冷却水循環回路内で冷却水が循環される。
【００５３】
まず、内燃機関１から発生する熱によってシリンダヘッド側内部通路４出口の冷却水温度が所定値Ｔｗ０以下、つまり所定値Ｔｗ０に到達するまでの間は、サーモスタット８が図１中の実線矢印Ｘ１で示すような冷却水スルー経路を確保することにより、冷却水を暖めて内燃機関１を暖機する。
【００５４】
この場合、シリンダヘッド側内部通路４から排出される冷却水は、ラジエータ１２を通過せずに第１バイパス通路７を通過してシリンダブロック側内部通路３へ導入される。これにより、内燃機関１の外部に排出された冷却水がほとんど放熱されずに保温されたまま内燃機関１内へ戻されるようになる。そのため、内燃機関１の発熱を助長することになるとともに、内燃機関１内で冷却水がさらに暖められることになる。
【００５５】
これと同時に、開閉弁１７の上流側の冷却水温度が所定値Ｔｗ１以下、つまり所定値Ｔｗ１に到達するまでの間は、流量管理手段１５の開閉弁１７が開放状態になっているので、ヒータコア１３を通過する冷却水が、図１中の一点鎖線矢印Ｙおよび二点鎖線矢印Ｚで示すように、ヒータ通路６における変速機設置区間６ａおよび第２バイパス通路１６の両方に流通する第１状態になる。
【００５６】
この第１状態では、ヒータコア１３の加熱効率を向上させたうえで、変速機２を暖機させることができるので、詳しく説明する。
【００５７】
まず、開閉弁１７を開放すると、ヒータ通路６全体における冷却水の流通抵抗が小さくなるので、ヒータコア１３への冷却水流量が相対的に大となる。このようにヒータコア１３への冷却水流量を大にすると、ヒータコア１３の加熱効率が向上することになって、車室内暖房性能を高めるうえで有利となる。
【００５８】
そして、第２バイパス通路１６と並列なヒータ通路６の変速機設置区間６ａにも冷却水が流通するようになっているが、変速機用熱交換器１４の存在によって変速機配置区間６ａの流通抵抗が第２バイパス通路１６の流通抵抗より大きくなる関係より、変速機用熱交換器１４への冷却水流量が相対的に小となる。
【００５９】
このとき、変速機用熱交換器１４に対してはヒータコア１３を通過して温度が若干低下した冷却水が導入されるので、この冷却水の温度が、変速機用熱交換器１４の使用油の温度より高くなるにつれて、変速機用熱交換器１４への冷却水流量を小にしていても、この冷却水と変速機２の使用油との間で熱交換が行われて、変速機２の使用油の温度が上昇するようになる。
【００６０】
このようにして内燃機関１を継続的に運転すると、内燃機関１の冷却水ならびに変速機２の使用油の温度が速やかに上昇されることになるとともに、ヒータコア１３が速やかに加熱されることになるのである。
【００６１】
ところで、シリンダヘッド側内部通路４の出口の冷却水温度が所定値Ｔｗ０を超えると、サーモスタット８は図２中の破線矢印Ｘ２で示すような冷却水放熱経路を確保する。これにより、シリンダヘッド側内部通路４から排出される高温の冷却水は、ラジエータ１２に流されることになるので、このラジエータ１２によって冷却水の熱が放熱され、この温度が降下された冷却水がシリンダブロック側内部通路３へ導入されるようになる。そのため、比較的低温の冷却水によって内燃機関１内の熱を吸収するようになるので、内燃機関１が冷却されることになる。
【００６２】
これと同時に、開閉弁１７上流側の冷却水温度が所定値Ｔｗ１を超えると、流量管理手段１５の開閉弁１７が閉塞されることになるので、ヒータコア１３を通過する冷却水が、図２中の一点鎖線矢印Ｙで示すように、第２バイパス通路１６へ流通せずに変速機設置区間６ａのみに流通する第２状態になる。
【００６３】
この第２状態では、変速機用熱交換器１４による変速機２の放熱効率を向上させたうえで、ヒータコア１３の過剰な加熱を抑制することができるので、詳しく説明する。
【００６４】
まず、開閉弁１７を閉塞すると、ヒータ通路６全体の流通抵抗はヒータコア１３による流通抵抗（圧力損失）と変速機用熱交換器１４による流通抵抗（圧力損失）とを加算した値となるので、ヒータコア１３への冷却水流量が相対的に小となる。したがって、ヒータコア１３を過剰に加熱しなくなる。但し、ヒータコア１３への冷却水流量を小にしても、冷却水が高温であるために、ヒータコア１３を必要十分なレベルで加熱することが可能になる。
【００６５】
そして、ヒータコア１３を通過した冷却水は、第２バイパス通路１６へ流れずに、その全量が変速機配置区間６ａを通じて変速機用熱交換器１４へ流れるようになり、そのため、変速機用熱交換器１４への冷却水流量が相対的に大となる。このように、ヒータコア１３を通過して若干温度降下した比較的低温の冷却水が大量に変速機用熱交換器１４に流れるので、変速機２の使用油が効率よく放熱されることになり、変速機２の使用油を速やかに冷却できるようになる。
【００６６】
以上説明したように、内燃機関１の冷間始動時、つまり冷却水や変速機２の使用油の温度が比較的低いときに、流量管理手段１５の開閉弁１７を開放することによって、ヒータコア１３への冷却水流量を相対的に大として変速機用熱交換器１４への冷却水流量を相対的に小とする第１状態にしているから、内燃機関１の冷間始動時でも車室内暖房を速やかに必要十分なレベルで行うことが可能になり、しかも変速機２の暖機が可能になる。
【００６７】
また、内燃機関１の定常運転において冷却水や変速機２の使用油の温度が比較的高くなったときに、流量管理手段１５の開閉弁１７を閉塞することによって、ヒータコア１３への冷却水流量を相対的に小として変速機用熱交換器１４への冷却水流量を相対的に大とする第２状態にしているから、変速機２を速やかに冷却することが可能になり、しかも、ヒータコア１３の過剰な加熱を抑制することが可能になる。
【００６８】
このように、簡単な構成でありながら、内燃機関１の状況に応じて内燃機関１や変速機２の温度調節を適正に行うことが可能になるとともに、内燃機関１の冷間始動時においてヒータコア１３による車室内暖房を必要十分なレベルで行うことが可能になる。
【００６９】
以下、本発明の他の実施形態について説明する。
【００７０】
（１）上記実施形態で例示した流量管理手段１５に用いる開閉弁１７は、例えば図示しないがマイクロコンピュータの指令信号に応じてアクチュエータの動作を制御して弁体を変位するような、いわゆる電磁式駆動タイプとすることも可能である。
【００７１】
この場合、例えば開閉弁１７の上流側に温度センサ等を設け、マイクロコンピュータで前記温度センサの出力信号に基づき冷却水温度を認識し、この冷却水の温度の高低に応じて前記アクチュエータを適宜駆動させるように構成することができる。
【００７２】
（２）上記実施形態で例示した流量管理手段１５に用いる開閉弁１７の開閉動作は、その上流側の冷却水温度の高低に応じて行わせるようにした例を挙げているが、変速機２の使用油温度の高低に応じて行わせるようにすることも可能である。
【００７３】
（３）上記実施形態では、流量管理手段１５について、第２バイパス通路１６と開閉弁１７とで構成した例を挙げたが、要するに、ヒータコア１３下流側の冷却水温度の高低に応じて、ヒータコア１３と変速機用熱交換器１４とに対する各冷却水流量を適宜特定した二状態のうち、一方の状態を確保することができるものであれば、どのような構成であってもかまわない。
【図面の簡単な説明】
【００７４】
【図１】本発明に係る内燃機関の冷却装置の一実施形態を示す概略構成図であり、暖機時の循環経路を示している。
【図２】図１に対応する図で、冷却時の循環経路を示している。
【符号の説明】
【００７５】
１      内燃機関
２      変速機
３      シリンダブロック側内部通路
４      シリンダヘッド側内部通路
５      ラジエータ通路
６      ヒータ通路
６ａ    ヒータ通路における変速機設置区間
１１      ウォーターポンプ
１２      ラジエータ
１３      ヒータコア
１４      変速機用熱交換器
１５      流量管理手段
１６      第２バイパス通路
１７      開閉弁
【図１】
2007224821.tif 000003
【図２】
2007224821.tif 000004